(57)【要約】【課題】緑化部でありながらその部分の下に車両を駐車することができ、平面的には同一スペースを緑化と駐車の両方に使用できる緑化部を設けた駐車場を提供する。【解決手段】地面９を掘り下げて形成されたピット８と、ピット８の底面８ｂから立設する支柱１１と、支柱１１に沿って昇降自在に構成され車両２を搭載する少なくとも一段のパレット１３を有する昇降部１７とを備えた駐車場１において、昇降部１７はピット８内にパレット１３を収めたとき地面９と同一平面となる天井部１６を設けると共に、天井部１６の屋根１６ａに緑化部３を設けた。【選択図】図１
2011094376.tif 000002
【特許請求の範囲】
【請求項１】
地面を掘り下げて形成されたピットと、該ピットの底面から立設する支柱と、該支柱に沿って昇降自在に構成され車両を搭載するパレットを有する昇降部とを備えた駐車場において、
前記昇降部に、前記ピット内に前記パレットを収めたとき地面と同一平面となる天井部を設けると共に、該天井部の屋根に緑化部を設けたことを特徴とする駐車場。
【請求項２】
前記昇降部は、前記パレットと、該パレットの四隅又はその近傍に配したパレット支柱とを有し、該パレット支柱の上端部に前記緑化部を設けた請求項１記載の駐車場。
【請求項３】
前記パレットが前記パレット支柱に連結され、該パレット支柱が前記支柱に対して昇降可能に支持された請求項２に記載の駐車場。
【請求項４】
前記昇降部が前記パレットを上下方向に複数段有し、該パレットがそれぞれ前記パレット支柱に連結された請求項２又は請求項３に記載の駐車場。
【請求項５】
前記緑化部は、植物を植設した人工土壌又は植物を植設した植栽用マットを前記天井部の屋根上面に敷設してなる請求項１乃至請求項４のいずれかに記載の駐車場。
【発明の詳細な説明】
【技術分野】
【０００１】
本発明は、駐車場に関し、特に昇降式駐車設備の上面に緑化部を設けた駐車場に関するものである。
【背景技術】
【０００２】
一般に、緑化部を設けた駐車場は、駐車装置部と緑化部とは平面的に同一部分に計画せず分離されている。そのため地上が緑化部であるときは、その地下や別の場所に駐車場を計画している（特許文献１）。また駐車場等の施設を緑化する場合には、全く利用されていない屋根を緑化することが敷地の有効利用の観点から好ましく、これを考慮して上下に自動車を複数台駐車できるようにした自走式の駐車場を地下に設置し、その最上階の上面に緑化部を構成したものが知られている（特許文献２）。
【先行技術文献】
【特許文献】
【０００３】
【特許文献１】特開平７−２５２９６３号公報
【特許文献２】特開２００５−１３９６６２号公報
【発明の概要】
【発明が解決しようとする課題】
【０００４】
しかしながら特許文献１に示されるように、地上を緑化部として地下に駐車場を計画する場合は、大規模な土地と地下のスペースが必要であり、コストも問題であった。また特許文献２に示されるような地下に設置した自走式の駐車場は、一階部から二階部にかけてスロープが設けられており、自動車が一階部と二階部との間の移動時にこのスロープを走行するもので、走行車路とスロープを設けるためのスペースが必要であり、コスト的にも問題がある。また機械式駐車場を地上に設置する場合、美観もよくない問題があった。
【０００５】
本発明は、かかる点に鑑みてなされたものであり、その目的とするところは、緑化部でありながらその部分の下に車両を駐車することができ、平面的には同一スペースを緑化と駐車の両方に使用できる緑化部を設けた駐車場を提供することにある。
【課題を解決するための手段】
【０００６】
前記課題を解決するために本発明の駐車場は、地面を掘り下げて形成されたピットと、該ピットの底面から立設する支柱と、該支柱に沿って昇降自在に構成され車両を搭載するパレットを有する昇降部とを備えた駐車場において、前記昇降部に、前記ピット内に前記パレットを収めたとき地面と同一平面となる天井部を設けると共に、該天井部の屋根に緑化部を設けたことを特徴とする。
【０００７】
また前記昇降部は、前記パレットと、該パレットの四隅又はその近傍に配したパレット支柱とを有し、該パレット支柱の上端部に前記緑化部を設けるのが好ましい。
【０００８】
また前記パレットが前記パレット支柱に連結され、該パレット支柱が前記支柱に対して昇降可能に支持されるのが好ましい。
【０００９】
また前記昇降部が前記パレットを上下方向に複数段有し、該パレットがそれぞれ前記パレット支柱に連結されるのが好ましい。
【００１０】
また前記緑化部は、植物を植設した人工土壌又は植物を植設した植栽用マットを前記天井部の屋根上面に敷設してもよい。
【発明の効果】
【００１１】
本発明によれば、緑化部でありながらその部分の下に車両を駐車することができ、平面的には同一スペースを緑化と駐車の両方に使用できる。
【図面の簡単な説明】
【００１２】
【図１】図１は、本発明の一実施形態に係る駐車場の正面断面図である。
【図２】図２は、図１の実施形態に係る駐車場の上段パレットを地面と同じ位置まで上昇した状態を示す正面断面図である。
【図３】図３は、図１の実施形態に係る駐車場の下段パレットを地面と同じ位置まで上昇した状態を示す正面断面図である。
【図４】図４は、図１の実施形態に係る駐車場を示す図であり、（ａ）は緑化部の正面断面図で、（ｂ）は車両を収容した状態を示す側面断面図である。
【発明を実施するための形態】
【００１３】
本発明の好適な実施形態を添付図面に基づいて説明する。
【００１４】
図１に示すように緑化部３を設けた駐車場１は、地面９を掘り下げて形成されたピット８内に、単純な昇降式駐車装置１０がすべて収まるように構成したピット型のものである。昇降式駐車装置１０は、ピット８の底面８ｂから垂直に地面９と略一致する高さまで設けられた複数本の支柱１１と、車両２を搭載するパレットを有し支柱１１に沿って上下方向へ昇降自在に構成された昇降部１７と、この昇降部１７を昇降させる昇降装置１８とを備えている。
【００１５】
この昇降部１７には、最上部に設けられ、外側上部に屋根１６ａを有する天井部１６と、この天井部１６の下方に所定の高さ方向の間隔を有してそれぞれ上下に設けられた車両２搭載用の上段パレット１３及び下段パレット１４と、これらの四隅に設けた複数本のパレット支柱１２とを有し、上段パレット１３及び下段パレット１４が連結片１５を介して上下方向に間隔を隔ててパレット支柱１２に結合されている。上段パレット１３及び下段パレット１４は矩形状をなしている。パレット支柱１２の上端部に天井部１６が取り付けられている。天井部１６の屋根１６ａは、上段パレット１３及び下段パレット１４がピット８内に収められたとき、地面と同一平面となってピット８の開口部８ａを覆うようになっている。
【００１６】
また、天井部１６には、後述するようにその天井部１６の外側上面に形成される屋根１６ａ上面に緑化部３が設けられるもので矩形状をなしており、上段パレット１３（下段パレット１４）と同様なパレットを取り付けている。なお天井部１６は板部材からなるものでもよい。天井部１６と上段パレット１３との間隔、及び上段パレット１３と下段パレット１４との間隔は、車両２を格納するのに十分な高さ方向の間隔を有しており、これら天井部１６と上段パレット１３との間、及び上段パレット１３と下段パレット１４との間にそれぞれ駐車スペース１９が形成されている。
【００１７】
このように上下二段となった上段パレット１３及び下段パレット１４を有する昇降部１７が、支柱１１と共にピット８内に横二列に並設されて昇降式駐車装置１０が構成されている。なお昇降式駐車装置１０は、上下二段、横二列構造に限定されることなく、上下三段以上、横三列以上の構造や、車両一台を格納する地下一段横一列の構造であってもよい。
【００１８】
本実施形態では、パレット支柱１２が支柱１１に対して昇降自在に支持され、パレット支柱１２を昇降させる昇降装置１８が支柱１１に取り付けられている。昇降装置１８は、油圧シリンダ（図示せず）によるジャッキ式を用いている。なお昇降装置１８は、チェーンによる電動巻き上げ式を用いてもよい。昇降装置１８の作動を制御する操作盤６は、美観を考慮して駐車場１近傍の樹木５ａに取り付ける。
【００１９】
このように構成された昇降式駐車装置１０は、昇降装置１８を作動させることでパレット支柱１２が支柱１１に対して昇降し、昇降部１７がピット８内から地上へ、又は地上からピット８内へ昇降することができ、図２又は図３に示すように上段パレット１３又は下段パレット１４をそれぞれ車両２の入出庫が可能な入出庫レベル（地上面９）まで移動させることができる。そして車両２を上段パレット１３（下段パレット１４）に搭載し、昇降部１７を下降してピット８内に収めることで、車両２を外部から見えなくしてしまう。
【００２０】
駐車場１の前面の樹木５ａ，５ａ間に保安用のチェーン７を取り付けてある。車両２が昇降式駐車装置１０に入出庫する際は、チェーン７を取り外す。
【００２１】
なお、本実施形態では上段パレット１３と下段パレット１４とを、その四隅に設けたパレット支柱１２に連結片１５を介して取り付けたが、パレット支柱１２に上下方向に間隔を隔ててパレット係止片（図示せず）を設け、このパレット係止片に上段パレット１３及び下段パレット１４の四隅を載せるようにしてもよい。またパレット支柱１２は四隅に設けることなく、上段パレット１３及び下段パレット１４の左右両側４箇所に設けてもよい。
【００２２】
天井部１６の屋根１６ａ上面に設けられた緑化部３について述べる。
【００２３】
緑化部３は、例えば軽量で保水性を有する化学繊維等からなる人工土壌（植栽用マット）４を屋根１６ａ上面に敷設し、この人工土壌４にツツジなどの樹木や草花等の植物５を植栽したものである。人工土壌４は通気性及び通水性を有し、人工土壌４に植物５の根が絡んで育成される。人工土壌４には植物５を栽培するための好適な肥料などが混ぜ合わされていてもよい。また緑化部３は、屋根１６ａ上面に合成繊維の不織布からなる多孔質の透水性耐根シート等を敷設し、その上に保水性及び通気性に優れた人工培土４を積層して緑化植物５を植栽するようにしてもよく、あるいは単に土壌４を所定の厚さ（１５〜２０ｃｍ程度）に敷き均して緑化植物５を植栽するようにしてもよい。ピット８の開口部８ａの周囲には人工芝５ｂを設置する（図４（ａ））。
【００２４】
屋根１６ａ上面には、数％程度の水勾配が形成されており、人工土壌４内の水が図４（ｂ）に示すように屋根１６ａの長手方向に向かって流れ、下方に排水されるようになっている。排水は、例えば昇降式駐車装置１０の支柱１１や壁部に沿わせて設けた樋等に導いて地中に捨ててもよく、あるいは所定の場所に導きながら排水してもよい。
【００２５】
また上段パレット１３及び下段パレット１４にも、夫々数％程度の水勾配が形成されており、雨天走行した車両２が入庫して車両２に付着していた雨水が上段パレット１３及び下段パレット１４上に落下しても、雨水が上段パレット１３及び下段パレット１４上を長手方向に向かって流れ、下方に排水されるようになっている。
【００２６】
このような駐車場１は、例えば庭などの駐車場となる地面９を所定の深さまで掘削し、掘削された穴の前後壁面と側壁面にプレキャストコンクリートパネル等を並設すると共に、掘削した穴の底にコンクリートを流し込んでピット８を形成する。その後、ピット８の底面８ｂに昇降式駐車装置１０を設置し、天井部１６の屋根１６ａ上面に緑化部３を設ければよく、低コストで構築することができる。
【００２７】
次に、駐車場１の動作について述べる。
【００２８】
上段パレット１３に対して車両２を入出庫させる場合、操作盤６の上昇ボタンを押して昇降装置（油圧シリンダ）１８を作動してパレット支柱１２を介して昇降部１７を上昇する。これにより上段パレット１３及び下段パレット１４が上昇され、上段パレット１３が図２に示すように地面９と略同一平面となる上昇位置（入出庫レベル）に来ると、例えば上段パレット１３のスイッチ押圧片（図示せず）がリミットスイッチ（図示せず）を押圧する。これによって、油圧シリンダ１８が停止して上段パレット１３が上昇位置にて停止する。上段パレット１３に対する車両２の入出庫はこの状態で行う。
【００２９】
車両２の入出庫後、操作盤６の下降ボタンを押して油圧シリンダ１８の制御回路を切り替え、油圧シリンダ１８により上段パレット１３及び下段パレット１４がパレット支柱１２と共に下降され、上段パレット１３が下降位置に来るのと略同時に上段パレット１３のスイッチ押圧片が下のリミットスイッチ（図示せず）を押圧する。これによって、油圧シリンダ１８が停止して上段パレット１３が下降位置にて停止する。車両２が入庫された場合は、車両２は地下に格納されており、また車両２が出庫した場合も昇降部１７が地下に格納されて、その表面は緑化部３だけとなる。
【００３０】
また、下段パレット１４に対して車両２を入出庫させる場合も同様に、操作盤６の上昇ボタンを押す。油圧シリンダ１８が作動してパレット支柱１２を介して昇降部１７を上昇する。それにより上段パレット１３及び下段パレット１４が上昇され、下段パレット１４が図３に示すように地面９と略同一平面となる上昇位置（入出庫レベル）に来ると、例えば下段パレット１４のスイッチ押圧片（図示せず）がリミットスイッチ（図示せず）を押圧する。これによって、油圧シリンダ１８が停止して下段パレット１４が上昇位置にて停止する。下段パレット１４に対する車両２の入出庫はこの状態で行う。
【００３１】
同様に、車両２の入出庫後、操作盤６の下降ボタンを押して油圧シリンダ１８の制御回路を切り替え、油圧シリンダ１８により上段パレット１３及び下段パレット１４がパレット支柱１２と共に下降され、下段パレット１４が下降位置に来るのと略同時に下段パレット１４のスイッチ押圧片が下のリミットスイッチ（図示せず）を押圧する。これによって、油圧シリンダ１８が停止して下段パレット１４が下降位置にて停止する。
【００３２】
車両２の入出庫時は、入出庫したい上段パレット１３又は下段パレット１４が上昇し、それに伴い緑化部３も上昇するが、車両２格納時は緑化部３が地面９と同一レベルとなり、昇降式駐車装置１０は外部から見えることなく緑化部３だけとなり、緑化面積と美観が確保できる。なお駐車場１の周囲には芝生などを植栽し、車両２が一般道路から簡単に入出庫できるようにする。
【００３３】
このように昇降式駐車装置１０を地下に埋設し、地面９と同一平面となる天井部１６の屋根１６ａ上面に緑化部３を施しているので、ガーデニングなど緑あふれるゆとり空間として活用できる。
【００３４】
駐車場を計画するとき、敷地内の緑化面積や美観が問題になるが、本実施形態の駐車場１によれば、緑化スペースの地下に駐車スペースを確保することができ、緑化部３でありながらその部分の下に車両２を駐車することができ、平面的には同一スペースを緑化と駐車の両方に使用できる。
【００３５】
以上、本発明によれば、車両２の入出庫時は、昇降部１７（上段パレット１３及び下段パレット１４）が地下から上昇して入出庫が可能となり、終了後は昇降部１７が地下に下降して表面は緑化部３だけとなり、緑化部分を駐車場スペースとして利用できるので、緑化面積を減少させることなく敷地の有効利用を図ることができ、狭い土地でも有効に活用できる。
【符号の説明】
【００３６】
１  駐車場
２  車両
３  緑化部
４  人工土壌
５  植物
５ａ  樹木
６  操作盤
７  チェーン
８  ピット
８ａ  開口部
８ｂ  底面
９  地面
１０  昇降式駐車装置
１１  支柱
１２  パレット支柱
１３  上段パレット
１４  下段パレット
１５  連結片
１６  天井部
１６ａ  屋根
１７  昇降部
１８  昇降装置
１９  駐車スペース
【図１】
2011094376.tif 000003
【図２】
2011094376.tif 000004
【図３】
2011094376.tif 000005
【図４】
2011094376.tif 000006